(57)【要約】【課題】衝突時等の大荷重から燃料配管を十分に保護できる、強固な燃料配管保護部材を提供する。【解決手段】自動車のエンジンの燃料配管２に装着されて該燃料配管２を保護する燃料配管保護部材１であって、燃料配管２への装着状態における燃料配管２の軸線Ｘ方向と直角方向の断面形状が、燃料配管２の周面を被う形状とされ、高強度の材料を用いて、燃料配管に作用する大荷重に耐えられる肉厚に形成される。【選択図】    図１
2019116844.tif 000002
【特許請求の範囲】
【請求項１】
エンジンの燃料配管に装着されて該燃料配管を保護する燃料配管保護部材であって、燃料配管への装着状態における燃料配管の軸線方向と直角方向の断面形状が、燃料配管の周面を被う形状とされ、高強度の材料を用いて、燃料配管に作用する大荷重に耐えられる肉厚に形成されることを特徴とする燃料配管保護部材。
【請求項２】
前記肉厚が２〜５ｍｍであることを特徴とする請求項１に記載の燃料配管保護部材。
【請求項３】
請求項１又は２に記載の燃料配管保護部材を燃料配管に固定するための固定具であって、前記燃料配管に装着された前記燃料配管保護部材を包み込んで互いに結合可能な複数のカバー片を備え、該複数のカバー片の少なくともいずれかに、前記燃料配管上における燃料配管保護部材用固定具の位置ずれを防止する位置固定手段が配設されることを特徴とする燃料配管保護部材用固定具。
【請求項４】
前記位置固定手段が、前記複数のカバー片の相互結合状態において前記燃料配管の外周面を挟持する挟持部であることを特徴とする請求項３に記載の燃料配管保護部材用固定具。
【請求項５】
前記位置固定手段が、前記燃料配管に隣接する固定フレームの取付孔に嵌合する脚部であることを特徴とする請求項３に記載の燃料配管保護部材用固定具。
【発明の詳細な説明】
【技術分野】
【０００１】
本発明は、自動車の燃料配管を衝突等の外力による破損から護るための燃料配管保護部材と、該燃料配管保護部材を燃料配管に固定するための固定具と、に関するものである。
【背景技術】
【０００２】
自動車の燃料配管において、車両の衝突時に、燃料配管がフレームとキャビンクロスとに挟まれて折損等により破壊されると、燃料が漏れて火災が発生する危険性がある。そこで、燃料配管に保護部材を取り付け、この保護部材によって燃料配管を保護することが行われている。
【０００３】
従来の保護部材５１は、図７に示すように、軸線方向の長さが１００ｍｍ程度、材質はバネ鋼、板厚は０．５〜１ｍｍ程度とされ、燃料配管５２の軸線方向に対して直角方向の断面形状は、燃料配管の半分以上を覆う円弧状とされていた。そして、保護部材５１は、長手方向の両端に円弧状の取付部５３を有し、各取付部５３のばね力により燃料配管５２に固定されていた。
【０００４】
なお、図７の保護部材に類似する従来例として特許文献１に記載のものがある。
【先行技術文献】
【特許文献】
【０００５】
【特許文献１】特開２００１−１９３８９５号公報
【発明の概要】
【発明が解決しようとする課題】
【０００６】
しかしながら、図７に示す従来の保護部材は強度が不十分であり、車両の衝突時に保護部材５１が破損する虞があった。すなわち、車両の衝突時にフレームとキャビンクロスとの間に燃料配管５２が挟まれた場合、最大２７ｋＮほどの大荷重が燃料配管にかかるため、このような大荷重から燃料配管５２を保護し得る保護部材が求められる。
【０００７】
本発明は、前記のような事情に鑑みてなされたもので、衝突時の大荷重から燃料配管を十分に保護できる、強固な燃料配管保護部材を提供しようとするものである。
【０００８】
本発明はまた、前記燃料配管保護部材を燃料配管に対して確実に固定できる、燃料配管保護部材用固定具を提供しようとするものである。
【課題を解決するための手段】
【０００９】
本発明に係る第１の発明はエンジンの燃料配管に装着されて該燃料配管を保護する燃料配管保護部材であって、燃料配管への装着状態における燃料配管の軸線方向と直角方向の断面形状が、燃料配管の周面を被う形状とされ、高強度の材料を用いて、燃料配管に作用する大荷重に耐えられる肉厚に形成されることを特徴とする燃料配管保護部材である。
【００１０】
本発明に係る第２の発明は、第１の発明の燃料配管保護部材の肉厚が２〜５ｍｍであることを特徴とするものである。
【００１１】
本発明に係る第３の発明は、第１及び第２の発明の燃料配管保護部材を燃料配管に固定するための固定具であって、前記燃料配管に装着された前記燃料配管保護部材を包み込んで互いに結合可能な複数のカバー片を備え、該複数のカバー片の少なくともいずれかに、前記燃料配管上における燃料配管保護部材用固定具の位置ずれを防止する位置固定手段が配設されることを特徴とする燃料配管保護部材用固定具である。
【００１２】
本発明に係る第４の発明は、第３の発明の位置固定手段が、前記複数のカバー片の相互結合状態において前記燃料配管の外周面を挟持する挟持部であることを特徴とする燃料配管保護部材用固定具である。
【００１３】
本発明に係る第５の発明は、第３の発明の位置固定手段が、前記燃料配管に隣接する固定フレームの取付孔に嵌合する脚部であることを特徴とする燃料配管保護部材用固定具である。
【発明の効果】
【００１４】
本発明の第１の発明によれば、燃料配管への装着状態における燃料配管の軸線方向と直角方向の断面形状が、燃料配管の周面を被う形状とされるので、どの方向から荷重がかかっても燃料配管を保護できる。
【００１５】
また、本発明の第１の発明に係る燃料配管保護部材は、高強度の材料を用いて、燃料配管に作用する大荷重に耐えられる肉厚に形成されるので、衝突時等の荷重に対して十分な耐性がある。
【００１６】
本発明の第３の発明によれば、燃料配管に装着された燃料配管保護部材を複数のカバー片で包み込んで該複数のカバー片を互いに結合させることによって、燃料配管保護部材が燃料配管に固定される。位置固定手段が設けられているので、燃料配管保護部材用固定具と燃料配管保護部材が燃料配管の軸線方向に位置ずれしたり、燃料配管の周方向に回ったりすることがない。
【００１７】
本発明の第４の発明によれば、複数のカバー片の相互結合状態において、挟持部が燃料配管の外周面を挟持する。これにより、燃料配管保護部材用固定具と燃料配管保護部材が燃料配管の軸線方向に位置ずれしたり、燃料配管の周方向に回ったりすることが防止される。
【００１８】
本発明の第５の発明によれば、複数のカバー片を結合させるとともに、燃料配管に隣接する固定フレームの取付孔に脚部を嵌合させることによって、燃料配管保護部材用固定具と燃料配管保護部材が燃料配管の軸線方向に位置ずれしたり、燃料配管の周方向に回ったりすることが防止される。
【図面の簡単な説明】
【００１９】
【図１】本発明の実施の一形態に係る燃料配管保護部材の燃料配管への装着状態と、本発明の実施の一形態に係る燃料配管保護部材用固定具と、を含む斜視図である。
【図２】図１のＡ−Ａ矢視断面図である。
【図３】本発明の他の実施の形態に係る燃料配管保護部材の、図２に対応する断面図である。
【図４】図１の燃料配管保護部材用固定具によって図１の燃料配管保護部材を燃料配管に固定する過程を示す斜視図である。
【図５】図１の燃料配管保護部材用固定具による図１の燃料配管保護部材の燃料配管への固定状態を示す斜視図である。
【図６】本発明の他の実施の形態に係る燃料配管保護部材用固定具による燃料配管保護部材の固定状態を示す側面図である。
【図７】従来の燃料配管保護部材の説明図であり、（ａ）は平面図、（ｂ）は正面図である。
【発明を実施するための形態】
【００２０】
以下、添付図面を参照して、本発明の実施の形態について説明する。
【００２１】
図１及び図２に示すように、本発明の実施の一形態に係る燃料配管保護部材１は、自動車のエンジンの燃料配管２に装着することにより燃料配管２を保護するものである。この燃料配管保護部材１は、図２に示すように、燃料配管２の周面を被う形状とされる。また、前記燃料配管保護部材１は、高強度の材料を用いて、燃料配管に作用する大荷重（最大２７ｋＮ）に耐えられる肉厚Ｔに形成される。
【００２２】
図１及び図２の燃料配管保護部材１においては、図２より明らかなように、前記断面形状がＵ字状に形成され、開口部３を利用して燃料配管２に対して装着できるようになっている。燃料配管保護部材１の前記断面の内面は、燃料配管２の外周面の形状に対応している。燃料配管保護部材１の前記断面の外面は、図２に示すＵ字状のほか、コ字状や図３に示す台形状とすることもできる。
【００２３】
次に、前記高強度の材料としては、機械構造用炭素鋼、アルミ合金、チタン合金等の金属が挙げられる。これらの高強度の材料のいずれかを用いて、燃料配管保護部材１は、燃料配管２に作用する大荷重（最大２７ｋＮ）に耐えられる肉厚Ｔに形成される。具体的な肉厚値としては、２〜５ｍｍとするのが好ましい。燃料配管保護部材１の、燃料配管２の軸線Ｘ方向の長さＬは任意であるが、背景技術の項で述べた前記従来の保護部材よりも短く形成するのが好ましい。具体的な長さＬは、例えば、１０〜３０ｍｍ程度とするのが好ましい。燃料配管保護部材１を前記のような寸法にすると、前記従来のものと比較して、長さＬがはるかに短く肉厚Ｔが厚い。よって、燃料配管保護部材１の強度が相乗的に高まる。
【００２４】
なお、本実施の形態の燃料配管保護部材１は、長さＬが短いので、燃料配管２の軸線Ｘ方向に沿って複数並べて配設することができる。燃料配管２に対する燃料配管保護部材１の固定は、後述する燃料配管保護部材用固定具６を用いて行うと好適である。この場合、燃料配管保護部材１と燃料配管保護部材用固定具６との組み合わせで燃料配管２の軸線Ｘ方向に沿って複数配設される。
【００２５】
前記の特徴を有する燃料配管保護部材１は、それ自体が前記従来のものに比較してはるかに強固である。このため、車両の衝突により燃料配管２がフレームとキャビンクロスの間に挟まれても、燃料配管保護部材１が燃料配管２を確実に保護する。よって、車両衝突時に燃料配管２の損壊が生ずることがなく、燃料漏れやそれに起因する火災発生等の心配がない。
【００２６】
燃料配管保護部材１の長さＬは、前記長さの範囲の中でも特に、２０ｍｍに形成すると好適である。強度の高さと燃料配管２の軸線Ｘ方向における保護範囲の広さとの双方において利点が得られるからである。
【００２７】
前記燃料配管保護部材１は、図１、図４及び図５に示すように、燃料配管保護部材用固定具６を用いて燃料配管２に対して固定される。この固定具６は、図１及び図４に示すように、燃料配管２に装着された燃料配管保護部材１を包み込んで互いに結合可能な、複数のカバー片６ａ、６ｂを備える。そして、該複数のカバー片６ａ、６ｂの少なくともいずれかに、燃料配管２上における燃料配管保護部材用固定具６の位置ずれを防止する位置固定手段７が配設される。
【００２８】
前記複数のカバー片は、一例として、第１カバー片６ａと第２カバー片６ｂとを備える。これらのカバー片６ａ、６ｂは、適宜の金属材料を用いて形成される。下側の第１カバー片６ａは平板状に形成され、上側の第２カバー片６ｂは燃料配管保護部材１の外周形状に対応する形状を有する。そして、図４に示すように、燃料配管２に装着された燃料配管保護部材１を包み込むようにして第１カバー片６ａと第２カバー片６ｂとを相互に結合させた状態において、第１カバー片６ａの内面６ｃが燃料配管保護部材１の開口部３の端面３ａ、３ａに当接し、第２カバー片６ｂの内面６ｄが燃料配管保護部材１の外面に当接する。
【００２９】
前記第１カバー片と第２カバー片は、非結合状態において分離する態様であってもよいが、図１に示すように、可撓性連結部８を介して常時連結状態にある態様にすると好適である。可撓性連結部８とは逆側において、第２カバー片６ｂには係止部９ｂが形成され、第１カバー片６ａには、前記係止部９ｂと係合する係止受部９ａが形成される。係止部９ｂと係止受部９ａとの係合により、第１カバー片６ａと第２カバー片６ｂとの結合状態が維持される。なお、複数のカバー片６ａ、６ｂは、三つ以上のカバー片で構成してもよいことは勿論である。
【００３０】
図１、図４及び図５に示す燃料配管保護部材用固定具６は、前記位置固定手段７として、第１カバー片６ａと第２カバー片６ｂとの相互結合状態において燃料配管２の外周面２ａを挟持する挟持部１０を備えている。すなわち、第１カバー片６ａの両端部に燃料配管２の外周面２ａの一部に当接する第１当接片１０ａが形成され、第２カバー片６ｂの両端部に、燃料配管２の外周面２ａの一部に当接する第２当接片１０ｂが形成されている。第２当接片１０ｂは燃料配管２の外周形状に適合する円弧状に形成されている。そして、第１カバー片６ａと第２カバー片６ｂの両端部のそれぞれにおいて、第１当接片１０ａと第２当接片１０ｂとの組み合わせによって前記挟持部１０が構成される。
【００３１】
第１カバー片６ａと第２カバー片６ｂとを相互に結合させると、第１当接片１０ａと第２当接片１０ｂとが燃料配管２の外周面２ａを挟持する。これにより、燃料配管保護部材用固定具６と燃料配管保護部材１が燃料配管２の軸線Ｘ方向に位置ずれしたり、燃料配管２の周方向に回ったりすることが防止される。なお、図２に示すように、燃料配管２の表面に樹脂被覆１１が施されている場合には、この樹脂被覆１１に対して第１当接片１０ａと第２当接片１０ｂとが噛み込むように構成すると、位置固定作用が確実に奏されて一層好適である。
【００３２】
別の態様の位置固定手段７として、図６に示すように、前記挟持部１０に代えて、又は前記挟持部１０に加えて、前記燃料配管２に隣接する適宜の固定フレーム１２の取付孔１２ａに嵌合する脚部１３を備えるものを例示する。すなわち、複数のカバー片６ａ、６ｂの少なくともいずれかに前記脚部１３を設ける態様である。図６の例では、第１カバー片６ａの外面に前記脚部１３を設けてある。前記固定フレーム１２としては、自動車の車体内において燃料配管２に隣接して不動状態で位置する適宜の部材を活用することができる。
【００３３】
図６に示すように、第１カバー片６ａと第２カバー片６ｂとを結合させるとともに、燃料配管２に隣接する固定フレーム１２の取付孔１２ａに脚部１３を嵌合させることによって、燃料配管保護部材用固定具６と燃料配管保護部材１が燃料配管２の軸線Ｘ方向に位置ずれしたり、燃料配管２の周方向に回ったりすることが防止される。
【符号の説明】
【００３４】
１  燃料配管保護部材
２      燃料配管
２ａ    外周面
３      開口部
３ａ    端面
６      燃料配管保護部材用固定具
６ａ    第１カバー片
６ｂ    第２カバー片
６ｃ    第１カバー片の内面
６ｄ    第２カバー片の内面
７      位置固定手段
８      可撓性連結部
９ａ    係止受部
９ｂ    係止部
１０    挟持部
１０ａ  第１当接片
１０ｂ  第２当接片
１１    樹脂被覆
１２    固定フレーム
１２ａ  取付孔
１３    脚部
【図１】
2019116844.tif 000003
【図２】
2019116844.tif 000004
【図３】
2019116844.tif 000005
【図４】
2019116844.tif 000006
【図５】
2019116844.tif 000007
【図６】
2019116844.tif 000008
【図７】
2019116844.tif 000009